(57)【要約】【課題】  長時間の立ち作業を前提とした流し台等の家具に、腰痛を軽減することができる機能を付加した家具を提供する。【解決手段】  シンク２が取り付けられた天板３と、この天板３が載置固定されたキャビネット４と、シンク２の横の調理部５が配設されてなる流し台１において、天板３のシンク２の前縁部に、前方に緩やかに湾曲して突出する凭れ部７を形成すると共に、キャビネット４の前面側下方であって、シンク２及び凭れ部７の下方に、足置き体１０を出し入れ自在に配設して腰痛を効果的に防止するように構成した。【選択図】図１
2007007029.tif 000002
【特許請求の範囲】
【請求項１】
キャビネットの前面下部に、作業者の片足を乗せることが可能な足置き体を配設したことを特徴とする家具。
【請求項２】
前記足置き体は、床面から１０〜２０ｃｍの高さに設定されていることを特徴とする請求項１に記載の家具。
【請求項３】
前記足置き体は、キャビネットから出し入れ自在に構成されていることを特徴とする請求項１又は請求項２のいずれかに記載の家具。
【請求項４】
前記足置き体は、キャビネットの左右方向にスライド自在に配設されていることを特徴とする請求項１乃至請求項３のいずれかに記載の家具。
【請求項５】
前記足置き体は、パイプ体で形成されていることを特徴とする請求項１乃至請求項４のいずれかに記載の家具。
【請求項６】
前記足置き体は、平板体で形成されていることを特徴とする請求項１乃至請求項４のいずれかに記載の家具。
【請求項７】
前記足置き体の表面には、足裏のツボを刺激する突起或は凹凸が形成されていることを特徴とする請求項５または請求項６のいずれかに記載の家具。
【請求項８】
前記足置き体の角部を曲線状に形成したことを特徴とする請求項１乃至請求項７のいずれかに記載の家具。
【請求項９】
前記足置き体は、キャビネットの左右方向に複数配設されていることを特徴とする請求項１乃至請求項８のいずれかに記載の家具。
【請求項１０】
前記キャビネットの前面上部又は天板部であって、前記足置き体の配設部位の上方に、凭れ部を形成し或は手摺りバーを取り付けて形成したことを特徴とする請求項１乃至請求項９のいずれかに記載の家具。
【発明の詳細な説明】
【技術分野】
【０００１】
この発明は、流し台や流し台等の家具に係り、特に、作業者の腰痛防止対策が施された家具に関する。
【背景技術】
【０００２】
立ち作業を長時間する場合、片足を置ける台を用意して片足を乗せることで、腰の負担を軽減できることがよく知られている（例えば、独立行政法人  労働者健康福祉機構  沖縄産業保健推進センター編「腰痛のモトを断つ」参照）。
【０００３】
このような立ち作業が長時間化する労働として、流し台における洗い作業や調理作業が挙げられるが、従来の流し台には、例えば、特許文献１に示すような足やすめバーを備えたキッチンキャビネットが提案されているにすぎない。
【０００４】
【特許文献１】特開平９−５１８２２号公報
【発明の開示】
【発明が解決しようとする課題】
【０００５】
しかしながら、特許文献１に示すような足やすめバーを備えたキッチンキャビネットは、椅子に座った状態で調理作業をするもので、長時間の立ち作業を前提とした構成ではないため、腰痛の軽減に資するものではなく、実際には、長時間の立ち作業を前提とした流し台等の家具には、この種の足置き台が配設されたものは存在しないのが現状である。
【０００６】
この発明は、かかる現状に鑑み創案されたものであって、その目的とするところは、長時間の立ち作業を前提とした流し台等の家具に、腰痛を軽減することができる機能を付加した家具を提供しようとするものである。
【課題を解決するための手段】
【０００７】
上記目的を達成するため、請求項１に記載の家具は、キャビネットの前面下部に、作業者の片足を乗せることが可能な足置き体を配設したことを特徴とする。
【０００８】
請求項２に記載の発明にあっては、請求項１に記載の家具を技術的前提とし、前記足置き体は、床面から１０〜２０ｃｍの高さに設定したことを特徴とする。
【０００９】
請求項３に記載の発明にあっては、請求項１又は請求項２のいずれかに記載の家具を技術的前提とし、前記足置き体は、キャビネットから出し入れ自在に構成されていることを特徴とする。
【００１０】
請求項４に記載の発明にあっては、請求項１乃至請求項３のいずれかに記載の家具を技術的前提とし、キャビネットの左右方向にスライド自在に配設されていることを特徴とする。
【００１１】
請求項５に記載の発明にあっては、請求項１乃至請求項４のいずれかに記載の家具を技術的前提とし、前記足置き体は、パイプ体で形成されていることを特徴とする。
【００１２】
請求項６に記載の発明にあっては、請求項１乃至請求項４のいずれかに記載の家具を技術的前提とし、平板体で形成されていることを特徴とする。
【００１３】
請求項７に記載の発明にあっては、請求項５又は請求項６のいずれかに記載の家具を技術的前提とし、前記足置き体の表面には、足裏のツボを刺激する突起或は凹凸が形成されていることを特徴とする。
【００１４】
請求項８に記載の発明にあっては、請求項１乃至請求項７のいずれかに記載の家具を技術的前提とし、前記足置き体の角部を曲線状に形成したことを特徴とする。
【００１５】
請求項９に記載の発明にあっては、請求項１乃至請求項８のいずれかに記載の家具を技術的前提とし、前記足置き体は、キャビネットの左右方向に複数配設されていることを特徴とする。
【００１６】
請求項１０に記載の発明にあっては、請求項１乃至請求項９のいずれかに記載の家具を技術的前提とし、前記キャビネットの前面上部又は天板部であって、前記足置き体の配設部位の上方に、凭れ部を形成し或は手摺りバーを取り付けて形成したことを特徴とする。
【発明の効果】
【００１７】
以上説明したように、請求項１に記載の家具にあっては、キャビネットの前面下部に、作業者の片足を乗せることが可能な足置き体を配設したので、長時間、立ち作業をしても、腰への負荷を軽減することができ、腰痛を効果的に軽減することができる。
【００１８】
請求項２に記載の発明にあっては、前記足置き体は、床面から１０〜２０ｃｍの高さに設定したので、長時間、立ち作業をしたとしても、腰への負荷をより効果的に軽減することができる。
【００１９】
請求項３に記載の発明にあっては、前記足置き体を、キャビネットから出し入れ自在に構成したので、必要なときに足置き体を出すことができ、また、不要なときには該足置き体をキャビネット内に入れることができるので、足置き体に足を引っ掛けて転倒したりする心配がなくなり、安全性が向上する。
【００２０】
請求項４に記載の発明にあっては、キャビネットの左右方向にスライド自在に配設したので、例えば、洗いものをするシンクや調理台等、作業場所に応じて足置き体を移動させることができるので、１つの足置き体で効率的に腰への負担の軽減を図ることができる。
【００２１】
請求項５に記載の発明にあっては、前記足置き体は、パイプ体で形成したので、軽量で安価に提供することができ、また、出し入れする場合も軽い操作力で出し入れすることができる。
【００２２】
請求項６に記載の発明にあっては、平板体で形成したので、片足を安定的に載せておくことができる。
【００２３】
請求項７に記載の発明にあっては、前記足置き体の表面には、足裏のツボを刺激する突起或は凹凸を形成したので、片足を乗せている間、ツボが刺激されるので、健康増進を図ることができる。
【００２４】
請求項８に記載の発明にあっては、前記足置き体の角部を曲線状に形成したので、足をぶつけたときの怪我を軽減することができる。
【００２５】
請求項９に記載の発明にあっては、前記足置き体は、キャビネットの左右方向に複数配設したので、複数人で作業をする場合や、作業場所を移動しても、各人、各場所で片足を載せることができる。
【００２６】
請求項１０に記載の発明にあっては、前記キャビネットの前面上部又は天板部であって、前記足置き体の配設部位の上方に、凭れ部を形成し或は手摺りバーを取り付けて形成したので、より楽で安定的な姿勢で作業をすることができ、さらに効果的に腰への負担を軽減することができる。
【発明を実施するための最良の形態】
【００２７】
以下、添付図面に示す発明の実施形態例に基づき、この発明を詳細に説明する。
【実施例１】
【００２８】
図１は、この発明の実施例１に係る足置き体が配設されてなる流し台の構成を示す斜視図を、図２は同流し台の正面図を、図３は同流し台の右側面図を、図４は同流し台の足置き体の出し入れをガイドするレールの取り付け例を示す説明図を、図５は同足置き体の構成例を示す斜視図を夫々示している。
【００２９】
即ち、この実施例１に係る流し台１は、シンク２が取り付けられた天板３と、この天板３が載置固定されたキャビネット４と、から構成されており、上記天板３のシンク２の横には、調理部５と加熱機器６が配設されている。
【００３０】
また、上記天板３のシンク２の前縁部は、図１に示すように、前方に緩やかに湾曲して突出する凭れ部７が形成され、洗い作業を行うときに、肘等を乗せて、楽な姿勢で安定的に洗い作業を行うことができるように構成されている。尚、この凭れ部７は、調理部５の前縁部にも形成するのが望ましい。さらに、この凭れ部７は、本実施例１のように天板部３の前縁部を前方に膨出形成する他に、図２及び図３に示すように、手摺りバー７Ａを取り付けて形成してもよい。
【００３１】
このように構成された流し台１のキャビネット４の前面側下方であって、シンク２及び凭れ部７の下方には、図３に示すように、パイプで平面形状が略凹状に形成されてなる足置き体１０が出し入れ自在に配設されている。
【００３２】
この足置き体１０は、図４に示すように、片足を載せることができるバー部１１と、このバー部１１の両端部から奥行方向に延設されたレール部１２，１２と、このレール部１２，１２の終端部に回転自在に軸支されてなるローラ１３，１３と、から構成され、該レール部１２，１２が、図５に示すガイドレール１４に沿ってスライドすることで、バー部１１がキャビネット４の前方に突出し、或は不要時にキャビネット４内へと押し込まれて収納されるように構成されている。尚、上記バー部１１とレール部１２，１２の接続部は丸く面取りされており、足がぶつかっても怪我をしないように構成されている。また、図中符号１５は、足裏のツボを刺激する突起である。
【００３３】
このガイドレール１４は、キャビネット４の足置き体収納部（ケコミ部）の両壁面８に取り付けられており、上記足置き体１０のバー部１１の床面からの高さが１０〜２０ｃｍとなる位置にセットされるように取り付けられる。
【００３４】
勿論、上記足置き体１０は、図２に示すように、例えば、シンク部２の前方下方の他に、調理部５の前方下方等、所望の位置に複数出し入れ自在に配置しても構わない。
【００３５】
この実施例１に係る流し台１にあっては、上記足置き体１０を、上記したように構成したので、長時間、洗いものをしたり、調理するときに、足で足置き体１０のバー部１１を引っ掛けて引き出し、片足を載せながら上記作業を行った場合には、腰に過剰な負担が掛からなくなるため、腰痛を有効に防止することができる。勿論、不要なときには、足でバー部１１を押し込むだけで容易に収納することができ、不用意に躓いたりする心配がなく、安全である。尚、上記足置き体１０の出し入れ機構は、本実施例１の他に、バー部１１を押すことでバネ力で前方に飛び出す公知のプッシュオープン方式や、電動方式を適用することもできる。
【００３６】
図６は、上記足置き体１０の変形例を示しており、この例では、足置き体１０をパイプではなく、平板状の棚板１０Ａで構成し、該棚板１０Ａの両側部にレール１２，１２及びローラ１３，１３を配設すると共に、棚板１０Ａの前側両端部を丸く切削して、足がぶつかっても怪我をしないように構成し、上記レール１２，１２及びローラ１３，１３を、前記ガイドレール１４にスライド自在に装着するように構成することで、片足を長時間安定的に載せることができるように構成したものである。尚、図中、符号１６は、棚板１０Ａを足で引っ掛けて引き出すと同時に、重量を軽減するために切削された凹部である。勿論、本棚板１０Ａをプラスチックで形成しても構わない。また、図示はしないが、棚板１０Ａの表面に、足裏のツボを刺激する突起或は凹凸を形成することもできる。さらに、棚板１０Ａの周縁に緩衝材を設けることによりケガをしないような構成も可能である。
【実施例２】
【００３７】
図７は、この発明の実施例２を示しており、この実施例２では、足置き体１０を、キャビネット４のケコミ部の上面部に取り付けられたガイドレール１７に沿ってスライド自在に装着することで、足置き体１０を所望の位置まで移動させ、所望の位置で足置き体１０を利用できるように構成した他は、実施例１と同様の構成部分については、実施例１と同一の符号を付して、その詳細な説明をここでは省略する。
【００３８】
即ち、この実施例２では、足置き体１０の奥行側端部に形成された軸部１８の両端部にローラ１９，１９を回転自在に軸支し、該ローラ１９，１９をガイドレール１７に沿って転動自在に装着することで、スライド自在としたものである。勿論、該ガイドレール１７の所定位置、例えば、洗い作業部や調理作業部或は任意の位置に切欠部（図示せず）を形成し、該位置で足置き体１０を出し入れ自在とするように構成してもよい。
【００３９】
尚、上記各実施例では、この発明を流し台に適用した場合を例にとり説明したが、この発明にあってはこれに限定されるものではなく、例えば、洗面台等の家具にも適用できることは勿論である。
【図面の簡単な説明】
【００４０】
【図１】この発明の実施例１に係る足置き体が配設されてなる流し台の構成を示す斜視図である。
【図２】同流し台の正面図である。
【図３】同流し台の右側面図である。
【図４】同流し台の足置き体の出し入れをガイドするレールの取り付け例を示す説明図である。
【図５】同足置き体の構成例を示す斜視図である。
【図６】同足置き体の他の構成例を示す斜視図である。
【図７】この発明の実施例２に係る足置き体の構成例を示す説明図である。
【符号の説明】
【００４１】
１  流し台
２  シンク
３  天板
４  キャビネット
５  調理部
７  凭れ部
７Ａ  手摺りバー
１０，１０Ａ  足置き体
１１  バー部
１２，１２  レール部
１３，１９  ローラ
１４，１７  ガイドレール
１５  突起
【図１】
2007007029.tif 000003
【図２】
2007007029.tif 000004
【図３】
2007007029.tif 000005
【図４】
2007007029.tif 000006
【図５】
2007007029.tif 000007
【図６】
2007007029.tif 000008
【図７】
2007007029.tif 000009